(57)【要約】      （修正有）【課題】キャリーケースの縦寸法よりも長い長尺な物品を第三者の目から隠しつつキャリーケース内に収納して運ぶことのできるキャリーケースを提供する。【解決手段】キャリーケース１００において、身側シェル及び蓋側シェルと、相対的に寸法の小さい小袋体４２、及び該小袋体４２を収容する相対的に寸法の大きい大袋体４４の二重袋からなる拡張ポケットであって、該キャリーケースの内装に取り付けられている拡張ポケットと、を備え、小袋体４２の表側と裏側とを反転させつつキャリーケース１００の外方へ小袋体４２を引き出すことができるように、身側シェルと蓋側シェルの合せ目に沿って設けられたマチからなる拡張部に、小袋体４２の開口と連通した出入口が形成されていることを特徴とする、拡張ポケット付きキャリーケース１００を提供する。【選択図】図５
0003218562.tif 000002
【実用新案登録請求の範囲】
【請求項１】
キャリーケースにおいて、
身側シェル及び蓋側シェルと、
相対的に寸法の小さい小袋体、及び該小袋体を収容する相対的に寸法の大きい大袋体の二重袋からなる拡張ポケットであって、該キャリーケースの内装に取り付けられている拡張ポケットと、
を備え、
上記小袋体の表側と裏側とを反転させつつ該キャリーケースの外方へ上記小袋体を引き出すことができるように、上記身側シェルと蓋側シェルの合せ目に沿って設けられたマチからなる拡張部に、上記小袋体の開口と連通した出入口が形成されていることを特徴とする、拡張ポケット付きキャリーケース。
【請求項２】
上記小袋体の表側と裏側とを反転させつつ該キャリーケースの外方へ引き出された上記小袋体の一部を開閉することができるように、上記小袋体に開閉用ジッパーが設けられていることを特徴とする、請求項１に記載の拡張ポケット付きキャリーケース。
【請求項３】
上記出入口は、上記身側シェルと上記蓋側シェルの合せ目に沿って設けられた拡張部に平面視で概ねコ字形の形状に形成されており、該概ねコ字形の形状に沿って開閉用ジッパーが設けられていることを特徴とする、請求項１又は請求項２に記載の拡張ポケット付きキャリーケース。
【請求項４】
上記大袋体は、該キャリーケースの内装に着脱可能に取り付けられていることを特徴とする、請求項１〜３のいずれかに記載の拡張ポケット付きキャリーケース。
【請求項５】
上記大袋体の一部を開閉することができるように、上記大袋体の側面に開閉用ジッパーが設けられていることを特徴とする、請求項１〜４のいずれかに記載の拡張ポケット付きキャリーケース。
【請求項６】
上記大袋体の上側及び下側のうちの少なくとも一方に、拡張可能なマチからなる１つ又は複数の延伸部が設けられていることを特徴とする、請求項１〜５のいずれかに記載の拡張ポケット付きキャリーケース。
【請求項７】
上記小袋体に、拡張可能なマチからなる１つ又は複数の延伸部が設けられていることを特徴とする、請求項１〜６のいずれかに記載の拡張ポケット付きキャリーケース。
【考案の詳細な説明】
【技術分野】
【０００１】
本考案は、キャリーケースに関し、詳しくは、従来のキャリーケースでは収納しきれなかった長尺な物品を収納することのできる拡張ポケットを備えるキャリーケースに関する。
【背景技術】
【０００２】
これまで、キャリーケースに収納しきれない長尺な物品を持ち運ぶには、キャリーケースとは別の収納具を使って運ばなければならなかった。或いは、キャリーケースに長尺な物品を差し入れると、長尺な物品の先端部がはみ出してしまい、他人から物品を視認されてしまうという問題があった。なお、長尺な物品としては、例えば、ギターや三味線等の長尺な楽器、スノーボードやスケートボード等の長尺なスポーツ用具、及びモデルガンや釣り竿等の長尺な趣味の道具がある。
【０００３】
特許文献１に記載のスーツケースは、硬質材料からなる殻状の箱体と、箱体に開閉自在に連設された硬質材料からなる殻状の蓋体との間に、軟質材料からなるマチ部を有するとともに、小物類を収納するための収納部を備えている。しかし、特許文献１に記載の収納部は、シェルの外方へ延出させる仕様ではないため、長尺な物品を収納して運ぶことには適していない。
【先行技術文献】
【特許文献】
【０００４】
【特許文献１】実用新案登録第３１７３９０６号公報
【考案の概要】
【考案が解決しようとする課題】
【０００５】
本考案は、キャリーケースの縦寸法よりも長い長尺な物品を第三者の目から隠しつつキャリーケース内に収納して運ぶことのできるキャリーケースを提供することを目的とする。
【課題を解決するための手段】
【０００６】
本考案の一実施例においては、キャリーケースにおいて、身側シェル及び蓋側シェルと、相対的に寸法の小さい小袋体、及び該小袋体を収容する相対的に寸法の大きい大袋体の二重袋からなる拡張ポケットであって、キャリーケースの内装に取り付けられている拡張ポケットと、を備え、小袋体の表側と裏側とを反転させつつキャリーケースの外方へ小袋体を引き出すことができるように、身側シェルと蓋側シェルの合せ目に沿って設けられたマチからなる拡張部に、小袋体の開口と連通した出入口が形成されていることを特徴とする、拡張ポケット付きキャリーケースを提供する。
【０００７】
一実施例においては、小袋体の表側と裏側とを反転させつつ該キャリーケースの外方へ引き出された小袋体の一部を開閉することができるように、小袋体に開閉用ジッパーが設けられていることを特徴とする。
【０００８】
さらなる実施例においては、出入口は、身側シェルと蓋側シェルの合せ目に沿って設けられた拡張部に平面視で概ねコ字形の形状に形成されており、概ねコ字形の形状に沿って開閉用ジッパーが設けられていることを特徴とする。
【０００９】
さらなる実施例においては、大袋体は、キャリーケースの内装に着脱可能に取り付けられていることを特徴とする。
【００１０】
さらなる実施例においては、大袋体の一部を開閉することができるように、大袋体の側面に開閉用ジッパーが設けられていることを特徴とする。
【００１１】
さらなる実施例においては、大袋体の上側及び下側のうちの少なくとも一方に、拡張可能なマチからなる１つ又は複数の延伸部が設けられていることを特徴とする。
【００１２】
さらに他の実施例においては、小袋体に、拡張可能なマチからなる１つ又は複数の延伸部が設けられていることを特徴とする。
【図面の簡単な説明】
【００１３】
【図１】本考案のキャリーケースを示す斜視図。
【図２】ポケットがキャリーケースの外方へ拡張された状態を示す斜視図。
【図３】大袋体に拡張可能な２つの延伸部が設けられていることを示す図。
【図４】キャリーケースの平面図。
【図５】キャリーケースの拡張ポケットにギターが収納されているときの斜視図。
【考案を実施するための形態】
【００１４】
本考案の拡張ポケット付きキャリーケース１について、添付の図を参照しつつ説明する。
【００１５】
図１は、本考案の拡張ポケット付きキャリーケース１のシェルが開けられた状態を示す。図１（ａ）に示されるように、キャリーケース１の内側に、相対的に寸法の小さい小袋体９、及び該小袋体９を収容する相対的に寸法の大きい大袋体１０の二重袋からなる拡張ポケットが設けられている。
【００１６】
一実施例においては、キャリーケース１の収納部が身側シェル２と蓋側シェル４とから構成されており、キャリーケース１の使用者は、開閉用ジッパー６を操作することにより、身側シェル２に対して蓋側シェル４を開閉することができる。
【００１７】
図１（ｂ）は、キャリーケース１における身側シェル２の内部の上側を拡大して示している。キャリーケース１は、図１（ｂ）に示されるように、小袋体９がキャリーケース１の大袋体１０内に隠れているときに、貴重品等を収納するための隠しポケットとして小袋体９を使用することができるという利点がある。
【００１８】
小袋体９及び大袋体１０の寸法は、キャリーケースの使用目的などに応じて異なり得る。拡張ポケットの素材は、通気性や防水性を有する天然繊維や化学繊維からなる布で形成され得る。他の実施例においては、大袋体１０のみが樹脂薄板から形成されている場合もある。
【００１９】
図２（ａ）は、小袋体９が出入口２０を通してキャリーケース１の外方へ引き出されているときを示している。一実施例においては、表側と裏側とを反転させつつ、キャリーケース１の外方へ引き出された小袋体９を開閉することができるように、引き出された小袋体９の上辺に沿って開閉用ジッパー２４が設けられている。
【００２０】
使用者がスライダ２２を動かして開閉用ジッパー２４を開けると、小袋体９と大袋体１０とからなる拡張ポケット内へ長尺な物品を差し入れることが可能となる。
【００２１】
図２（ｂ）は、キャリーケース１における身側シェル２の上側を拡大して示している。一実施例においては、大袋体１０は、キャリーケース１の内装に、着脱用ジッパー２８を介して着脱可能に取り付けられている。使用者が着脱用ジッパー２８のスライダ２６を動かすと、キャリーケース１の内装に取り付けられていた大袋体１０を取り外すことが可能となる。他の実施例においては、ジッパー以外のボタンホックや面ファスナ等の係着部材が使用される場合もある。
【００２２】
図３に示されている実施例においては、大袋体１０の下側に、１つ又は複数のマチからなる延伸部１４，１６が設けられている。図３（ａ）に示される状態から、使用者がジッパー１３，１５を開けると、延伸部１４，１６が図３（ｂ）に示される状態へと変化することにより、大袋体１０の下側が延伸し、さらに縦寸法の長い物品を拡張ポケット内へ収納することが可能となる。他の実施例においては、大袋体１０の上側及び下側のうちの少なくとも一方に、１つ又は複数のマチからなる延伸部１４，１６が設けられている。さらに他の実施例においては、小袋体９に、同様の１つ又は複数の延伸部（図示せず）が設けられる場合もある。
【００２３】
また、使用者が、図３に示されている大袋体開閉用ジッパー１１のスライダ１２を動かして大袋体１０の側面を大きく開放すると、キャリーケース１のシェルの内側から拡張ポケット内へ長尺かつ幅広な物品を差し入れることが容易となる。
【００２４】
一実施例においては、図４（ａ）に示されるシェル拡張用ジッパー１７のスライダ１８を動かすことにより、キャリーケース１の身側シェルと蓋側シェルとの間に設けられている拡張部４０が拡張され、キャリーケースの収納スペースが増大する。
【００２５】
図４（ｂ）に示される実施例においては、キャリーケース１の拡張部４０に、概ねコ字形の形状の出入口２０が形成されており、この出入口２０に沿って出入口開閉用ジッパー３６が設けられている。これにより、使用者が出入口２０を大きく開けて小袋体９を外方へ引き出すことが可能となり、小袋体９と大袋体１０とからなる拡張ポケット内へ幅広の物品を収納することが可能となる。
【００２６】
図５は、他の実施例におけるキャリーケース１００を示す。図５に示されている実施例においては、キャリーケース１００内の収納スペースを増大させるために拡張部４０が幅広につくられており、拡張部４０の拡張幅の大きさに応じて、小袋体４２と大袋体４４の幅も大きくつくられている。このように、拡張部４０の拡張幅の大きさに応じて、小袋体４２及び大袋体４４も幅広につくられていれば、ギター５２のように比較的厚い物品を収納することにも対処できる。
【００２７】
図５に示される実施例においてはさらに、大袋体４４の内側から引き出された小袋体４２の上辺に沿って開閉用ジッパー４８が設けられている。使用者がスライダ５０を動かして開閉用ジッパー４８を開けることにより、キャリーケース１の外方から拡張ポケット内へ長尺な物品を差し入れることが可能となる。
【００２８】
なお、図５に示されているキャリーケース１００においては、外方へ引き出されている小袋体４２の横幅が、大袋体４４の横幅よりも短く形成されているが、ギター５２のように下側の横幅が大きい物品をキャリーケース１００内へ収納する場合、上述した大袋体開閉用ジッパー１１を開いて大袋体４４の側面を開放すると、キャリーケース１００の内側から当該物品を差し入れることが可能となる。
【００２９】
以上のように、キャリーケースの縦寸法よりも長い長尺な物品を第三者の目から隠しつつキャリーケース内に収納して運ぶことのできるキャリーケースである。
【符号の説明】
【００３０】
１…キャリーケース
２…身側シェル
４…蓋側シェル
６…シェル開閉用ジッパー
９…小袋体
１０…大袋体
１１…大袋体開閉用ジッパー
１２…スライダ
１３…ジッパー
１４…延伸部
１５…ジッパー
１６…延伸部
１７…シェル拡張用ジッパー
１８…スライダ
２０…出入口
２２…スライダ
２４…開閉用ジッパー
２６…スライダ
２８…着脱用ジッパー
３６…出入口開閉用ジッパー
４０…拡張部（マチ）
４２…小袋体
４４…大袋体
４８…開閉用ジッパー
５０…スライダ
５２…ギター
５４…キャリーバー
５６…キャスタ
１００…キャリーケース
【図１】
0003218562.tif 000003
【図２】
0003218562.tif 000004
【図３】
0003218562.tif 000005
【図４】
0003218562.tif 000006
【図５】
0003218562.tif 000007